(57)【特許請求の範囲】
【請求項１】
火災感知器を接続し警戒区域に引き出された感知器回線を監視し、該感知器回線からのイベント信号を受信して蓄積し、判定処理を経て火災を知らせる火災受信機に於いて、
前記蓄積を行ったが火災と判定されなかった非火災イベントを監視して非火災イベント発生頻度を判別し、前記非火災イベント発生頻度に応じて複数の異なる蓄積レベルを設定する学習処理部と、
前記イベント信号を受信してから初回復旧開始時間経過後に前記イベント信号を一時的に復旧する一旦復旧を行う蓄積レベル受信処理部と、
を備え、
前記蓄積レベル受信処理部は、前記学習処理部で設定された蓄積レベルに応じて、前記初回復旧開始時間を異ならせることを特徴とする火災受信機。
【請求項２】
火災感知器を接続し警戒区域に引き出された感知器回線を監視し、該感知器回線からのイベント信号を受信して蓄積し、判定処理を経て火災を知らせる火災受信機に於いて、
前記蓄積を行ったが火災と判定されなかった非火災イベントを監視して非火災イベント発生頻度を判別し、前記非火災イベント発生頻度に応じて複数の異なる蓄積レベルを設定する学習処理部と、
前記イベント信号を受信してから初回復旧開始時間経過後に前記イベント信号を一時的に復旧する一旦復旧を行う蓄積レベル受信処理部と、
を備え、
前記蓄積レベル受信処理部は、前記学習処理部で設定された蓄積レベルに応じて、前記一旦復旧回数を異ならせることを特徴とする火災受信機。
【請求項３】
火災感知器を接続し警戒区域に引き出された感知器回線を監視し、該感知器回線からのイベント信号を受信して蓄積し、判定処理を経て火災を知らせる火災受信機に於いて、
前記蓄積を行ったが火災と判定されなかった非火災イベントを監視して非火災イベント発生頻度を判別し、前記非火災イベント発生頻度に応じて複数の異なる蓄積レベルを設定する学習処理部と、
前記イベント信号を受信してから初回復旧開始時間経過後に前記イベント信号を一時的に復旧する一旦復旧を行う蓄積レベル受信処理部と、
を備え、
前記蓄積レベル受信処理部は、前記学習処理部で設定された蓄積レベルに応じて、前記初回復旧開始時間及び前記一旦復旧回数を異ならせることを特徴とする火災受信機。
【請求項４】
請求項１乃至３の何れかに記載の火災受信機に於いて、
前記蓄積レベル受信処理部は、前記非火災イベント発生頻度に応じて、予め設定された前記蓄積レベルを、他の異なる蓄積レベルに変更することを特徴とする火災受信機。
【請求項５】
火災感知器を接続し警戒区域に引き出された感知器回線を監視し、該感知器回線からのイベント信号を受信して蓄積し、判定処理を経て火災を知らせる火災受信機に於いて、
前記感知器回線からイベント信号を受信したが蓄積機能により警報に至らなかった非火災イベントを監視して前記感知器回線の前記非火災イベント発生頻度を判別し、前記発生頻度が低い感知器回線と判別した際に第１蓄積レベルを設定し、前記発生頻度が高い感知器回線と判別した際に第２蓄積レベルを設定する学習処理部と、
前記第１蓄積レベルの設定状態で動作し、初回のイベント信号を受信してから第１の所定時間後に、イベント発生状態にある前記感知器回線を監視状態に戻す一旦復旧を１回行った後に、再度イベント信号を受信した場合に火災と判定して警報する第１蓄積レベル受信処理部と、
前記第２蓄積レベルの設定状態で動作し、初回のイベント信号を受信してから第２の所定時間後に、イベント発生状態にある前記感知器回線を監視状態に戻す一旦復旧を１回行った後に、再度イベント信号を受信した場合に、さらに一旦復旧して再度監視させる処理を１又は複数回行い、最後の一旦復旧後に再度イベント信号を受信した場合に警報する第２蓄積レベル受信処理部と、
を備え、
前記第２蓄積レベル受信処理部は、前記第２の所定時間を前記第１の所定時間より短い時間に設定したことを特徴とする火災受信機。
【請求項６】
火災感知器を接続し警戒区域に引き出された感知器回線を監視し、該感知器回線からのイベント信号を受信して蓄積し、判定処理を経て火災を知らせる火災受信機に於いて、
感知器回線からイベント信号を受信したが蓄積機能により警報に至らなかった非火災イベントを監視して前記感知器回線の前記非火災イベント発生頻度を判別し、前記発生頻度が低い感知器回線と判別した際に第１蓄積レベルを設定し、前記発生頻度が高い感知器回線と判別した際に第２蓄積レベルを設定する学習処理部と、
前記第１蓄積レベルの設定状態で動作し、初回のイベント信号を受信してから第１の所定時間後に、イベント発生状態にある前記感知器回線を監視状態に戻す一旦復旧を１回行った後に、再度イベント信号を受信した場合に火災と判定して警報する第１蓄積レベル受信処理部と、
前記第２蓄積レベルの設定状態で動作し、初回のイベント信号を受信してから第２の所定時間後に、イベント発生状態にある前記感知器回線を監視状態に戻す一旦復旧を１回行った後に、再度イベント信号を受信した場合に、さらに一旦復旧して再度監視させる処理を１又は複数回行い、最後の一旦復旧後に再度イベント信号を受信した場合に警報する第２蓄積レベル受信処理部と、
を備え、
第２蓄積レベル受信処理部は、１回目の一旦復旧から再度イベント信号を受信するまでの経過時間に応じて、前記一旦復旧の回数を変更することを特徴とする火災受信機。
【請求項７】
火災感知器を接続し警戒区域に引き出された感知器回線を監視し、該感知器回線からのイベント信号を受信して蓄積し、判定処理を経て火災を知らせる火災受信機に於いて、
感知器回線からイベント信号を受信したが蓄積機能により警報に至らなかった非火災イベントを監視して前記感知器回線の前記非火災イベント発生頻度を判別し、前記発生頻度が低い感知器回線と判別した際に第１蓄積レベルを設定し、前記発生頻度が高い感知器回線と判別した際に第２蓄積レベルを設定する学習処理部と、
前記第１蓄積レベルの設定状態で動作し、初回のイベント信号を受信してから第１の所定時間後に、イベント発生状態にある前記感知器回線を監視状態に戻す一旦復旧を１回行った後に、再度イベント信号を受信した場合に火災と判定して警報する第１蓄積レベル受信処理部と、
前記第２蓄積レベルの設定状態で動作し、初回のイベント信号を受信してから第２の所定時間後に、イベント発生状態にある前記感知器回線を監視状態に戻す一旦復旧を１回行った後に、再度イベント信号を受信した場合に、さらに一旦復旧して再度監視させる処理を１又は複数回行い、最後の一旦復旧後に再度イベント信号を受信した場合に警報する第２蓄積レベル受信処理部と、
を備え、
前記第２蓄積レベル受信処理部は、前記第２の所定時間を前記第１の所定時間より短い時間に設定し、１回目の一旦復旧から再度イベント信号を受信するまでの経過時間に応じて、前記一旦復旧の回数を変更することを特徴とする火災受信機。
【請求項８】
請求項６又は７記載の火災受信機に於いて、前記第２蓄積レベル受信処理部は、予め設定した一旦復旧の回数を減少させる変更を行うことを特徴とする火災受信機。
【請求項９】
請求項５乃至７の何れかに記載の火災受信機に於いて、前記学習処理部は、前記第１蓄積レベルを予め設定し、その後、前記非火災イベントを判定した時に前記第２蓄積レベルに設定を切り替え、前記第２蓄積レベルの設定状態で前記非火災イベントが所定期間判定されなかった場合に前記第１蓄積レベルの設定に切り替えることを特徴とする火災受信機。
【請求項１０】
請求項５乃至７の何れかに記載の火災受信機に於いて、前記学習処理部は、前記第２蓄積レベルを予め設定し、その後、前記非火災イベントが所定期間判定されなかった場合に前記第１蓄積レベルの設定に切り替えることを特徴とする火災受信機。
【請求項１１】
請求項５乃至７の何れかに記載の火災受信機に於いて、
前記学習処理部は、前記第２蓄積レベルの設定状態で所定期間内に非火災イベントが複数回連続して判定された場合、一時的に前記第１蓄積レベルの設定に切り替えた後に前記第２蓄積レベルに戻すことを特徴とする火災受信機。
【請求項１２】
火災感知器を接続し警戒区域に引き出された感知器回線を監視し、該感知器回線からのイベント信号を受信して蓄積し、判定処理を経て火災を知らせる火災受信機の制御方法に於いて、
前記感知器回線からイベント信号を受信したが蓄積機能により警報に至らなかった非火災イベントを監視して前記感知器回線の前記非火災イベント発生頻度を判別し、前記発生頻度が低い感知器回線と判別した際に第１蓄積レベルを設定し、前記発生頻度が高い感知器回線と判別した際に第２蓄積レベルを設定する学習処理ステップと、
前記第１蓄積レベルの設定状態で動作し、初回のイベント信号を受信してから第１の所定時間後に、イベント発生状態にある前記感知器回線を監視状態に戻す一旦復旧を１回行った後に、再度イベント信号を受信した場合に火災と判定して警報する第１蓄積レベル受信処理ステップと、
前記第２蓄積レベルの設定状態で動作し、初回のイベント信号を受信してから第２の所定時間後に、イベント発生状態にある前記感知器回線を監視状態に戻す一旦復旧を１回行った後に、再度イベント信号を受信した場合に、さらに一旦復旧して再度監視させる処理を１又は複数回行い、最後の一旦復旧後に再度イベント信号を受信した場合に警報する第２蓄積レベル受信処理ステップと、
を備え、
前記第２蓄積レベル受信処理ステップは、前記第２の所定時間を前記第１の所定時間より短い時間に設定したことを特徴とする火災受信機の制御方法。
【請求項１３】
火災感知器を接続し警戒区域に引き出された感知器回線を監視し、該感知器回線からのイベント信号を受信して蓄積し、判定処理を経て火災を知らせる火災受信機の制御方法に於いて、
前記感知器回線からイベント信号を受信したが蓄積機能により警報に至らなかった非火災イベントを監視して前記感知器回線の前記非火災イベント発生頻度を判別し、前記発生頻度が低い感知器回線と判別した際に第１蓄積レベルを設定し、前記発生頻度が高い感知器回線と判別した際に第２蓄積レベルを設定する学習処理ステップと、
前記第１蓄積レベルの設定状態で動作し、初回のイベント信号を受信してから第１の所定時間後に、イベント発生状態にある前記感知器回線を監視状態に戻す一旦復旧を１回行った後に、再度イベント信号を受信した場合に火災と判定して警報する第１蓄積レベル受信処理ステップと、
前記第２蓄積レベルの設定状態で動作し、初回のイベント信号を受信してから第２の所定時間後に、イベント発生状態にある前記感知器回線を監視状態に戻す一旦復旧を１回行った後に、再度イベント信号を受信した場合に、さらに一旦復旧して再度監視させる処理を１又は複数回行い、最後の一旦復旧後に再度イベント信号を受信した場合に警報する第２蓄積レベル受信処理ステップと、
を備え、
第２蓄積レベル受信処理ステップは、１回目の一旦復旧から再度イベント信号を受信するまでの経過時間に応じて、前記一旦復旧の回数を変更することを特徴とする火災受信機の制御方法。
【請求項１４】
火災感知器を接続し警戒区域に引き出された感知器回線を監視し、該感知器回線からのイベント信号を受信して蓄積し、判定処理を経て火災を知らせる火災受信機の制御方法に於いて、
前記感知器回線からイベント信号を受信したが蓄積機能により警報に至らなかった非火災イベントを監視して前記感知器回線の前記非火災イベント発生頻度を判別し、前記発生頻度が低い感知器回線と判別した際に第１蓄積レベルを設定し、前記発生頻度が高い感知器回線と判別した際に第２蓄積レベルを設定する学習処理ステップと、
前記第１蓄積レベルの設定状態で動作し、初回のイベント信号を受信してから第１の所定時間後に、イベント発生状態にある前記感知器回線を監視状態に戻す一旦復旧を１回行った後に、再度イベント信号を受信した場合に火災と判定して警報する第１蓄積レベル受信処理ステップと、
前記第２蓄積レベルの設定状態で動作し、初回のイベント信号を受信してから第２の所定時間後に、イベント発生状態にある前記感知器回線を監視状態に戻す一旦復旧を１回行った後に、再度イベント信号を受信した場合に、さらに一旦復旧して再度監視させる処理を１又は複数回行い、最後の一旦復旧後に再度イベント信号を受信した場合に警報する第２蓄積レベル受信処理ステップと、
を備え、
前記第２蓄積レベル受信処理ステップは、前記第２の所定時間を前記第１の所定時間より短い時間に設定し、１回目の一旦復旧から再度イベント信号を受信するまでの経過時間に応じて、前記一旦復旧の回数を変更することを特徴とする火災受信機の制御方法。
【請求項１５】
請求項１３又は１４記載の火災受信機の制御方法に於いて、前記第２蓄積レベル受信処理ステップは、予め設定した一旦復旧の回数を減少させる変更を行うことを特徴とする火災受信機の制御方法。
【請求項１６】
請求項１２乃至１４の何れかに記載の火災受信機の制御方法に於いて、前記学習処理ステップは、前記第１蓄積レベルを予め設定し、その後、前記非火災イベントを判定した時に前記第２蓄積レベルに設定を切り替え、前記第２蓄積レベルの設定状態で前記非火災イベントが所定期間判定されなかった場合に前記第１蓄積レベルの設定に切り替えることを特徴とする火災受信機の制御方法。
【請求項１７】
請求項１２乃至１４の何れかに記載の火災受信機の制御方法に於いて、前記学習処理ステップは、前記第２蓄積レベルを予め設定し、その後、前記非火災イベントが所定期間判定されなかった場合に前記第１蓄積レベルの設定に切り替えることを特徴とする火災受信機。
【請求項１８】
請求項１２乃至１４の何れかに記載の火災受信機の制御方法に於いて、前記学習処理ステップは、前記第２蓄積レベルの設定状態で所定期間内に非火災イベントが複数回連続して判定された場合、一時的に前記第１蓄積レベルの設定に切り替えた後に前記第２蓄積レベルに戻すことを特徴とする火災受信機の制御方法。
【発明の詳細な説明】
【技術分野】
【０００１】
本発明は、警戒区域に引き出された電源供給線を兼用した感知器回線に複数の火災感知器を接続し、火災感知器が火災を検出した際の前記感知器回線のイベント信号を受信して警報する火災受信機及び制御方法に関する。
【背景技術】
【０００２】
従来、Ｐ型システムとして知られた火災報知システムにあっては、受信機から引き出された感知器回線に複数のオンオフ型の火災感知器を接続し、回線単位に火災感知器からのイベント信号を受信して火災を警報するようにしている。
【０００３】
一方、Ｒ型システムとして知られた火災報知システムにあっては、受信機から引き出された伝送路に、伝送機能を備えた中継器やアナログ火災感知器等の端末装置を接続し、火災検出時には例えば端末装置からの火災割込みに基づき、検索コマンドを発行してイベント出力した端末装置のアドレスを特定し、火災発生アドレスを表示すると共に、特定した端末装置から火災データを収集して監視するようにしている。
【０００４】
このような従来の火災報知システムにあっては、火災を早期発見し、建物関係者に正しく警報を出すことが最も重要である。しかし、現状では火災感知器の設置環境によっては火災が発生していないにもかかわらずイベント出力されることがあり、場合によっては非火災報にまで至ってしまうことがある。
【０００５】
非火災報による誤警報を防止する受信機の機能として従来より蓄積受信機能が使用されている。蓄積受信機能は、イベント信号を受信しても直ぐに警報せず、予め定めた蓄積時間の経過後に継続してイベント信号が得られていたら、真の火災と判断して警報するようにしている。
【０００６】
Ｐ型システムの火災受信機の場合、感知器回線からイベント信号を受信したら一定時間後に感知器回線に対する電源供給を遮断して監視状態に戻す一旦復旧を行ってイベント出力している火災感知器を復旧させ、一旦復旧後に再度イベント出力したら、真の火災と判断して警報するようにしている。
【０００７】
とろこで、非火災報の原因となる、火災に起因しない非火災イベントは過去の統計データより、火災感知器の設置環境により発生しやすいところと、発生しづらいところがあり、季節や時問帯において発生数が変動することが知られている。
【０００８】
そこで、Ｒ型受信機や一部の火災感知器では、火災感知器で検出している温度や煙濃度のアナログデータから設置環境に合わせて、個別に蓄積時間を設定するものがあり、火災の早期発見と、非火災報や誤報の低減が図られている。
【特許文献１】特開２００５−３５２９１９号公報
【特許文献２】特開２００４−２６５１４８号公報
【特許文献３】特開平９−２８８７８１号公報
【発明の開示】
【発明が解決しようとする課題】
【０００９】
しかしながら、従来のＰ型システムの火災受信機にあっては、Ｒ型受信機と同様に警戒区域の環境に合わせて、感知器回線単位に蓄積時間を設定して最適化することが望まれるが、火災感知器から温度や煙濃度のアナログデータが得られないため、設置環境に合わせて、個別に蓄積時間を設定することが難しいという問題がある。
【００１０】
本発明は、Ｐ型火災報知システムの構成を変更したりセンサを追加したりすることなく、受信機処理のみにより火災感知器の設置環境に応じた蓄積時間を感知器回線単位に自動的に設定して最適化可能とする火災受信機を提供することを目的とする。
【課題を解決するための手段】
【００１１】
（火災受信機）
本発明は、火災感知器を接続し警戒区域に引き出された感知器回線を監視し、感知器回線からのイベント信号を受信して蓄積し、判定処理を経て火災を知らせる火災受信機に於いて、
蓄積を行ったが火災と判定されなかった非火災イベントを監視して非火災イベント発生頻度を判別し、非火災イベント発生頻度に応じて複数の異なる蓄積レベルを設定する学習処理部と、
イベント信号を受信してから初回復旧開始時間経過後にイベント信号を一時的に復旧する一旦復旧を行う蓄積レベル受信処理部と、
を備え、
蓄積レベル受信処理部は、学習処理部で設定された蓄積レベルに応じて、初回復旧開始時間を異ならせることを特徴とする。
【００１２】
または、蓄積レベル受信処理部は、学習処理部で設定された蓄積レベルに応じて、一旦復旧回数を異ならせる。
【００１３】
または、蓄積レベル受信処理部は、学習処理部で設定された蓄積レベルに応じて、初回復旧開始時間及び一旦復旧回数を異ならせる。
【００１４】
更に、蓄積レベル受信処理部は、非火災イベント発生頻度に応じて、予め設定された蓄積レベルを、他の異なる蓄積レベルに変更する。
【００１５】
本発明の他の形態にあっては、
火災感知器を接続し警戒区域に引き出された感知器回線を監視し、感知器回線からのイベント信号を受信して蓄積し、判定処理を経て火災を知らせる火災受信機に於いて、
記感知器回線からイベント信号を受信したが蓄積機能により警報に至らなかった非火災イベントを監視して前記感知器回線の非火災イベント発生頻度を判定し、発生頻度が低い感知器回線と判別した際に第１蓄積レベルを設定し、発生頻度が高い感知器回線と判別した際に第２蓄積レベルを設定する学習処理部と、
第１蓄積レベルの設定状態で動作し、初回のイベント信号を受信してから第１の所定時間後に、イベント発生状態にある感知器回線を監視状態に戻す一旦復旧を１回行った後に、再度イベント信号を受信した場合に火災と判定して警報する第１蓄積レベル受信処理部と、
第２蓄積レベルの設定状態で動作し、初回のイベント信号を受信してから第２の所定時間後に、イベント発生状態にある感知器回線を監視状態に戻す一旦復旧を１回行った後に、再度イベント信号を受信した場合に、さらに一旦復旧して再度監視させる処理を１又は複数回行い、最後の一旦復旧後に再度イベント信号を受信した場合に警報する第２蓄積レベル受信処理部と、
を備え、
第２蓄積レベル受信処理部は、第２の所定時間を第１の所定時間より短い時間に設定したことを特徴とする。
【００１６】
または、第２蓄積レベル受信処理部は、１回目の一旦復旧から再度イベント信号を受信するまでの経過時間に応じて、一旦復旧の回数を変更する。
【００１７】
または、第２蓄積レベル受信処理部は、第２の所定時間を第１の所定時間より短い時間に設定し、１回目の一旦復旧から再度イベント信号を受信するまでの経過時間に応じて、一旦復旧の回数を変更する。
【００１８】
第２蓄積レベル受信処理部は、一旦復旧の回数を変更する場合、予め設定した一旦復旧の回数を減少させる変更を行う。
【００１９】
学習処理部は、第１蓄積レベルを予め設定し、その後に、非火災イベントを判定した時に記第２蓄積レベルに設定を切り替え、第２蓄積レベルの設定状態で非火災イベントが所定期間判定されなかった場合に第１蓄積レベルの設定に切り替える。
【００２０】
または、学習処理部は、第２蓄積レベルを予め設定し、その後、非火災イベントが所定期間判定されなかった場合に第１蓄積レベルの設定に切り替える。
【００２１】
ここで、学習処理部は、第２蓄積レベルの設定状態で、所定期間内に非火災イベントが複数回連続して検出された場合、一時的に第１蓄積レベルの設定に切り替えた後に第２蓄積レベルに戻す。
【００２２】
（火災受信機の制御方法）
本発明は、火災感知器を接続し警戒区域に引き出された感知器回線を監視し、感知器回線からのイベント信号を受信して蓄積し、判定処理を経て火災を知らせる火災受信機の制御方法に於いて、
感知器回線からイベント信号を受信したが蓄積機能により警報に至らなかった非火災イベントを監視して感知器回線の非火災イベント発生頻度を判定し、発生頻度が低い感知器回線と判別した際に第１蓄積レベルを設定し、発生頻度が高い感知器回線と判別した際に第２蓄積レベルを設定する学習処理ステップと、
第１蓄積レベルの設定状態で動作し、初回のイベント信号を受信してから第１の所定時間後に、イベント発生状態にある感知器回線を監視状態に戻す一旦復旧を１回行った後に、再度イベント信号を受信した場合に火災と判定して警報する第１蓄積レベル受信処理ステップと、
第２蓄積レベルの設定状態で動作し、初回のイベント信号を受信してから第２の所定時間後に、イベント発生状態にある感知器回線を監視状態に戻す一旦復旧を１回行った後に、再度イベント信号を受信した場合に、さらに一旦復旧して再度監視させる処理を１又は複数回行い、最後の一旦復旧後に再度イベント信号を受信した場合に警報する第２蓄積レベル受信処理ステップと、
を備え、
前記第２蓄積レベル受信処理ステップは、前記第２の所定時間を前記第１の所定時間より短い時間に設定し、及び／又は、１回目の一旦復旧から再度イベント信号を受信するまでの経過時間に応じて一旦復旧の回数を変更することを特徴とする。
【発明の効果】
【００２３】
本発明によれば、イベント信号を受信したが蓄積機能により警報に至らなかった非火災イベントを監視し、非火災イベントが例えば１ケ月といったある程度長い期間なければ第１蓄積レベルを設定し、イベント信号を受信して所定時間蓄積してから１回だけ一旦復旧を行って、再度イベント信号を受信すれば警報することで、蓄積動作の時間を自動的に短くして火災の早期発見を可能とする。
【００２４】
一方、非火災イベントが例えば１ケ月以内の短い期間で発生しているような場合には第２蓄積レベルを設定し、イベント信号を受信して所定時間蓄積してから例えば３回に亘り一旦復旧を行った後に、再度イベント信号を受信したら警報することで、火災以外の原因による煙濃度や温度の一時的な増加に対し、自動的に蓄積時間を長くして誤報を確実に防止し、Ｐ型システムであっても、設置環境における温度や煙濃度に合わせて、回線単位に適切な蓄積時間を設定し、火災の早期発見と、非火災報や誤報の低減を図ることができる。
【００２５】
またＰ型火災受信機の蓄積処理で一般的な一旦復旧をそのまま利用し、一旦復旧の回数で蓄積時間を変化させているため、既存の火災感知器がそのまま使用でき、火災受信機の回路構成も既存の一旦復旧回路部を備えた受信回路部がそのまま使用でき、火災受信機及び火災感知器の回路的変更を必要とすることなく、簡単且つ容易に実現できる。
【００２６】
更に、設置環境に応じた蓄積時間の設定が感知器回線単位に設定でき、設置環境に合わせて蓄積時間をきめ細かく最適化できる。
【発明を実施するための最良の形態】
【００２７】
図１は本発明による蓄積受信機能を備えた火災受信機の実施形態を示したブロック図である。図１において、本実施形態の火災受信機１０からは、警戒区域に向けて感知器回線１２−１，１２−２，・・・１２−ｎが引き出され、それぞれ火災感知器１４と終端器１６を接続している。感知器回線１２−１〜１２−ｎに接続される火災感知器１４としては、煙感知器、熱感知器などの各種のオンオフ型の火災感知器を接続することができる。
【００２８】
火災受信機１０にはＭＰＵ１８が設けられ、ＭＰＵ１８に対しては受信回路部２０−１〜２０−ｎと復旧回路部２２−１〜２２−ｎが感知器回線１２−１〜１２−ｎごとに設けられている。またＭＰＵ１８に対しては、操作部２４、警報表示部２６、移報出力部２８及びメモリ３０が設けられている。
【００２９】
ＭＰＵ１８はコンピュータのハードウェア環境を備えており、このハードウェア環境はＣＰＵのバスに対し、ＲＯＭ、ＲＡＭ、ハードディスクドライブ、及び外部に対し入出力を行うインタフェースを接続している。
【００３０】
更にＭＰＵ１８には、コンピュータによるプログラムの実行により実現される本実施形態の機能として、学習処理部３２、第１蓄積レベル受信処理部３４及び第２蓄積レベル受信処理部３６を設けている。
【００３１】
ここで本実施形態の火災受信機１０の基本的な火災受信機能は、感知器回線１２−１〜１２−ｎに接続している火災感知器１４が火災を検出し、感知器回線を低インピーダンスに短絡することによって発報電流を流してイベント信号を出力した際に、受信回路部２０−１〜２０−ｎで自己の感知器回線に流れる発報電流を検出してイベント信号を受信してＭＰＵ１８に出力する。
【００３２】
また本実施形態の火災受信機１０にあっては蓄積受信機能を備えており、例えば受信回路部２０−１でイベント信号を受信した場合には、ＭＰＵ１８側でイベント信号を受信してから所定時間後に、復旧回路部２２−１を動作して感知器回線１２−１に対する電源供給を一時的に遮断する一旦復旧を行い、一旦復旧後に再度、火災感知器１４からイベント信号を受信した際に警報するという基本的な蓄積機能を備えている。この基本的な蓄積機能は、本実施形態にあっては、後の説明で明らかにするように第１蓄積レベル受信処理として扱われている。
【００３３】
ＭＰＵ１８に設けた学習処理部３２は感知器回線から発報信号を受信したが、蓄積機能により警報に至らなかった非火災イベントを監視し、非火災報が発生しにくい感知器回線と判別した際に、その感知器回線について第１蓄積レベルを設定し、一方、非火災イベントが発生し易い感知器回線と判別した際には、その感知器回線に対し第２蓄積レベルを設定する。
【００３４】
この感知器回線ごとに行う、非火災イベントの発生し易さと発生しにくさ判別して決定する、第１蓄積レベルと第２蓄積レベルの設定及びその切替えについては、後の説明で更に明らかにする。
【００３５】
第１蓄積レベル受信処理部３４は、学習処理部３２による第１蓄積レベルを設定した感知器回線について動作し、その感知器回線からイベント信号を受信してから第１の所定時間Ｔｘ１後に、復旧回路部による感知器回線の電源供給を一時的に遮断して元の監視状態に戻す一旦復旧を１回行った後、再度イベント信号を受信した場合に警報する。この第１蓄積レベル受信処理部３４の処理動作は、従来の蓄積機能を備えた火災受信機１０で行われている基本的な蓄積受信と同じである。
【００３６】
第２蓄積レベル受信処理部３６は、学習処理部３２による第２蓄積レベルを設定した感知器回線について動作し、その感知器回線からイベント信号を受信してから第２の所定時間Ｔｘ２後に、感知器回線の電源供給を一時的に遮断して元の監視状態に戻す一旦復旧を１回行った後（第１蓄積レベル受信処理部と同じ動作）、再度、イベント信号を受信した場合に一旦復旧して再度通常監視させる処理を１または複数回行い、最後の一旦復旧後に再度、イベント信号を受信した場合に警報する。
【００３７】
このため、第１蓄積レベル受信処理部３４における蓄積受信のための復旧回数は１回であるのに対し、第２蓄積レベル受信処理部３６における蓄積受信のための一旦復旧回数は例えば３回に設定されている。
【００３８】
図２は本実施形態による火災受信処理の概略処理を示したフローチャートである。図２において、本実施形態の火災受信処理は、ステップＳ１で学習処理により感知器回線ごとに非火災イベントが発生しにくい感知器回線か発生し易い感知器回線かを判別し、非火災イベントが発生しにくい感知器回線の場合には第１蓄積レベルを設定し、非火災イベントが発生し易い感知器回線の場合には第２蓄積レベルを設定している。
【００３９】
続いてステップＳ２で感知器回線ごとにイベント信号の受信の有無を判別しており、イベント信号を受信するとステップＳ３に進み、学習処理により第１蓄積レベルが設定されている場合にはステップＳ４に進み、第１蓄積レベル火災受信処理を実行し、一方、第２蓄積レベルが設定されている場合にはステップＳ５に進み、第２蓄積レベル火災受信処理を実行することになる。
【００４０】
この第１蓄積レベル火災受信処理または第２蓄積レベル火災受信処理を決める学習処理は、運用中における非火災イベントの感知器回線ごとの発生状態の有無に応じ自動的に判別されて、感知器回線の設置環境に見合った最適な蓄積受信の内容となる第１蓄積レベルまたは第２蓄積レベルを自動的に設定している。
【００４１】
図３は本実施形態における非火災イベントに基づいて第１蓄積レベルと第２蓄積レベルを設定する学習処理を示したタイムチャートである。図３（Ａ）は第１蓄積レベルと第２蓄積レベルの設定を示し、図３（Ｂ）は警戒期間に対する非火災イベント３８，４０，４２の発生を０〜４週のように週単位で示している。
【００４２】
火災受信機の運用を監視した初期状態にあっては、設置環境の如何に関わらず、各感知器回線につき非火災イベントが発生しにくい環境を想定した第１蓄積レベルに設定している。この第１蓄積レベルの設定状態で非火災イベント３８が発生したとすると、非火災イベントの発生しにくい第１蓄積レベルから非火災イベントの発生し易い第２蓄積レベルに設定を切り替える。
【００４３】
第２蓄積レベルを設定した後は、例えば一定期間Ｔ０として、例えばＴ０＝１ヶ月に亘り、非火災イベントが発生するか否か監視しており、一定期間Ｔ０＝１ヶ月の間、非火災報が発生しなかった場合には、非火災イベントの発生し易い第２蓄積レベルから非火災イベントの発生しにくい第１蓄積レベルに切り替える。
【００４４】
本実施形態のような火災報知システムが設置された監視環境にあっては、過去の統計データにより非火災イベントが頻繁に発生する場合は非火災イベントを発生する間隔が１〜２週間以内であり、場合によっては短時間に複数回、発生することもあることが分かっている。
【００４５】
したがって本実施形態にあっては、非火災イベントが発生しにくい第１蓄積レベルから非火災イベントが発生し易い第２蓄積レベルに切り替える判別は、非火災イベントが発生したら即座に、第１蓄積レベルから第２蓄積レベルに切り替えるようにしている。
【００４６】
一方、非火災イベントの発生し易い第２蓄積レベルから非火災イベントが発生しにくい第１蓄積レベルへの切替えは、余裕をとって１ヶ月程度、非火災イベントがなければ、非火災イベントが発生しにくい第１蓄積レベルに戻すようにしている。
【００４７】
図３（Ｂ）にあっては、非火災イベント４０が発生して第１蓄積レベルから第２蓄積レベルに切り替えた後、２週間を過ぎた１ヶ月未満のタイミングで非火災イベント４２が発生している。この場合の一定期間Ｔ０の監視は、非火災イベント４０，４２が発生するごとにリセットしてスタートしている。
【００４８】
したがって非火災イベント４０に続く非火災イベント４２で一定時間Ｔ０がリセットされて再スタートし、非火災イベント４２から一定期間Ｔ０＝１ヶ月経過後の４週目に第２蓄積レベルから第１蓄積レベルに切り替えるようにしている。
【００４９】
なお第２蓄積レベルから第１蓄積レベルに戻すための非火災イベントのない期間を一定期間Ｔ０＝１ヶ月としているが、これは一例であり、必要に応じて一定期間Ｔ０は１ヶ月未満例えば２週間または３週間としてもよいし、１ヶ月以上の５週間、６週間というようにしてもよく、火災報知システムを設定している監視環境の状況に応じて一定期間Ｔ０を適宜に定めることができる。なお本実施例においては、初期に設定する蓄積レベルを第１蓄積レベルとしているが、これが第２蓄積レベルであっても良い。
【００５０】
図４は図２のステップＳ１における学習処理の詳細を示したフローチャートである。図４において、学習処理は、ステップＳ１で非火災イベントを判別すると、ステップＳ２で現在は第１蓄積レベルの設定か否か判別し、第１蓄積レベルの設定であればステップＳ３で第２蓄積レベルの設定に切替え、一定期間Ｔ０＝１ヶ月の監視を開始する。ステップＳ２で現在は第２蓄積レベルの設定であった場合は、ステップＳ３はスキップする。
【００５１】
またステップＳ１で非火災イベントがなければ、ステップＳ４で１ヶ月経過したことを判断すると、ステップＳ５に進んで現在は第２蓄積レベルの設定であることを判別したらステップＳ６で第２蓄積レベルの設定から第１蓄積レベルの設定に切り替える。
【００５２】
図５は本実施形態における非火災イベントが発生しにくい設置環境について設定された第１蓄積レベルの設定状態でイベント信号を受信した際に動作する第１蓄積レベル火災受信処理を示したタイムチャートである。
【００５３】
図５（Ａ）は感知器回線電圧であり、たとえば正常（監視）２４ボルト、発報（イベント出力）１２ボルト、復旧約０ボルトの３段階の電圧を示している。図５（Ｂ）は蓄積タイマであり、最初に発報信号を受信した際に起動される。図５（Ｃ）は警報出力、図５（Ｄ）は蓄積時間、更に図５（Ｅ）は蓄積解除タイマを示している。
【００５４】
本実施形態の第１蓄積レベル火災受信処理にあっては、時刻ｔ１で感知器がイベント信号を送信すると、感知器回線電圧は正常電圧から発報電圧（イベント出力電圧）に低下し、感知器のイベント出力から火災受信機が立ち上がるまでの時間Ｔ２後の時刻ｔ２で、図５（Ｂ）の蓄積タイマが起動し、第１の所定時間Ｔｘ１の計数を開始する。この第１の所定時間Ｔｘ１は、本実施形態にあってはＴｘ１＝約６秒に設定している。
【００５５】
蓄積タイマがＴｘ１時間動作すると、時刻ｔ３で感知器回線に対する電源供給を一時的に切断して元の監視状態に戻す一旦復旧がＴ３時間に亘り行われる。この一旦復旧により、感知器回線電圧は、発報電圧（イベント出力電圧）から復旧電圧に低下した後、再び時刻ｔ４で正常電圧（監視電圧）に戻る。
【００５６】
この感知器回線に対し電源供給を一時的に遮断する一旦復旧により、このときイベント出力している感知器回線の火災感知器に対する電源供給が遮断され、火災感知器を通常監視状態に復旧する。この一旦復旧における時刻ｔ３から時刻ｔ４までの時間Ｔ３は一旦復旧時間である。一旦復旧時間Ｔ３は回線電圧切断時間を意味する。
【００５７】
時刻ｔ４で一旦復旧後の正常電圧の回復により、感知器回線に接続している火災感知器が再び監視状態となり、このとき火災感知器に火災レベルを超える煙の流入や熱が加わった場合には、時刻ｔ３で一旦復旧が済んでからＴ１時間後の時刻ｔ５で火災感知器が再度イベント出力し、発報電圧（イベント出力電圧）に低下する。この時刻ｔ４からｔ５までの時間Ｔ１は、火災感知器が一旦復旧してから再度イベント出力するまでの時間である。
【００５８】
時刻ｔ５で再度イベント出力が行われると、感知器のイベント出力から受信機が立ち上がるまでの時間Ｔ２を経過した後の時刻ｔ６で、受信機は図５（Ｃ）のように警報出力を出すことになる。
【００５９】
このような第１蓄積レベル火災受信処理における時刻ｔ２のイベント信号により受信機が立ち上がった時刻から時刻ｔ６の警報出力が出されるまでの時間Ｔａが、蓄積受信における蓄積時間を与える。この蓄積時間Ｔａは
Ｔａ＝Ｔｘ１＋Ｔ３＋Ｔ１＋Ｔ２
で与えられる。
【００６０】
ここでＴ１時間は火災感知器が一旦復旧してから再度発報するまでの時間であり、このためＴ１時間は感知器回線に接続している火災感知器に依存した時間である。本実施形態で使用する火災感知器として、煙感知器の場合、Ｔ１はＴ１＝４〜７秒程度かかっている。また熱感知器の場合はＴ１＝３秒程度となっている。
【００６１】
このため、本実施形態の第１蓄積レベル火災受信処理における蓄積時間Ｔａは、煙感知器の場合、Ｔａ＝１２秒程度、熱感知器の場合、それより短い１０秒程度の時間となる。
【００６２】
一方、図５（Ｅ）の蓄積解除タイマは、時刻ｔ２の蓄積開始から警報を出すまでの最大時間ＴｄとしてＴｄ＝５０秒を設定している。このため、時刻ｔ３〜ｔ４で一旦復旧を行った後、蓄積解除タイマで設定したＴｄ＝５０秒を経過した時刻ｔ７までに、再度、イベント信号が得られない場合には、蓄積処理をリセットして通常の監視状態に戻る。
【００６３】
なお、図５（Ｅ）にあっては、時刻ｔ６で火災警報が出力されているため、この時点で蓄積解除タイマは想像線に示すようにリセットされる。
【００６４】
図６は図２のステップＳ４における第１蓄積レベル火災受信処理の詳細を示したフローチャートであり、図５のタイムチャートを参照して説明すると次のようになる。
【００６５】
図６において、第１蓄積レベル火災受信処理は、ステップＳ１で感知器回線のイベント信号受信を判別すると、ステップＳ２で図５（Ｂ）の蓄積タイマをスタートし、ステップＳ３でＴｘ１時間の経過を判別している。
【００６６】
Ｔｘ１時間の経過を判別すると、ステップＳ４で発報した感知器回線の一旦復旧を行う。一旦復旧後にステップＳ５で再発報を受信すると、ステップＳ６で火災警報処理を行う。
【００６７】
一方、ステップＳ５で再発報受信がない場合には、ステップＳ７で図５（Ｅ）の蓄積解除タイマによる蓄積最大時間Ｔｄの経過を判別しており、もし蓄積最大時間Ｔｄを経過しても再発報受信がなかった場合には、ステップＳ１０で蓄積終了処理を行う。
【００６８】
このステップＳ８で蓄積終了したときの処理が、本実施形態における学習処理で判別している感知器回線からイベントを受信したが蓄積機能により警報に至らなかった非火災イベントの発生を意味する。
【００６９】
図７は本実施形態における一旦復旧を３回行う第２蓄積レベル火災受信処理を示したタイムチャートであり、図７（Ａ）に感知器回線電圧、図７（Ｂ）に蓄積タイマ、図７（Ｃ）に警報出力、図７（Ｄ）に蓄積時間、及び図７（Ｅ）に蓄積解除タイマを示している。
【００７０】
図７の第２蓄積レベル火災受信処理において、時刻ｔ１で感知器がイベント出力し、時刻ｔ２で受信機が立ち上がって蓄積タイマを第２の所定時間Ｔｘに動作させた後、時刻ｔ３で一旦復旧を行い、時刻ｔ４から時刻ｔ５の間のＴ１時間、感知器が一旦復旧から再度イベント出力するまでの処理は、図５に示した第１蓄積レベル火災受信処理と同じである。
【００７１】
相違点は蓄積タイマの時間Ｔｘ２を短い時間としている点である。本実施形態にあっては、図５に示した第１蓄積レベル火災受信処理におけるＴｘ１＝約６秒に対し、図７（Ｂ）の第２蓄積レベル火災受信処理の蓄積タイマの時間Ｔｘ２はＴｘ２＝約２．５秒と、概ね３分の１より少し多めの時間としている。
【００７２】
第２蓄積レベル火災受信処理にあっては、１回目の一旦復旧を行った後に、更に２回、一旦復旧を行うようにしている。図７は火災感知器に対し火災レベルを超える煙あるいは熱が加わった状態であり、時刻ｔ３〜ｔ４で１回目の一旦復旧を行い、時刻ｔ５で感知器が一旦復旧から再度イベント出力するまでの時間Ｔ１を経て再度イベント出力し、時刻ｔ６までの、再度、一旦復旧するまでの時間Ｔ４を経て、一旦復旧時間Ｔ３に亘り２回目の一旦復旧が行われる。
【００７３】
続いて、２回目の一旦復旧後に感知器が一旦復旧から再度イベント出力するまでの時間Ｔ１を経て再度イベント出力し、感知器がイベント出力してから受信機が立ち上がって再度、一旦復旧するまでの時間Ｔ４を経て、３回目の一旦復旧が一旦復旧時間Ｔ３に亘り行われる。
【００７４】
この３回目となる最後の一旦復旧が行われ、火災感知器が一旦復旧から再度イベント出力するまでの時間Ｔ１を経て再度、時刻ｔ１１でイベント出力すると、感知器のイベント出力から受信機が立ち上がるまでの時間Ｔ２を経過した後の時刻ｔ２で、図７（Ｃ）のように警報出力が行われる。
【００７５】
このような火災感知器に火災レベルを超える煙または熱が加わっている状態での第２蓄積レベル火災受信処理の蓄積時間Ｔｂは、時刻ｔ２で蓄積タイマにより蓄積を開始してから、時刻ｔ１２で３回の一旦復旧を経て再度のイベント出力により受信機が警報出力をするまでの時間であり、
Ｔｂ＝Ｔｘ２＋（３×Ｔ３）＋（３×Ｔ１）＋（２×Ｔ４）＋Ｔ２
で与えられる。
【００７６】
この第２蓄積レベル火災受信処理の最も短い蓄積時間Ｔｂは、火災感知器が煙感知器の場合、本実施形態にあっては、例えばＴｂ＞２０秒となる。また火災感知器が熱感知器の場合、煙感知器に比べ、感知器が一旦復旧してから再度イベント出力するまでの時間Ｔ１が短くなることから、蓄積時間Ｔｂ≦２０秒となっている。
【００７７】
一方、図７にあっても、時刻ｔ２の蓄積開始から最大蓄積時間Ｔｄを図７（Ｅ）の蓄積解除タイマで監視しており、３回の一旦復旧により最後に火災警報処理が時刻ｔ１３までの最大蓄積時間Ｔｄ以内に行われなかった場合には、時刻ｔ１３で蓄積動作が解除され、この場合には第２蓄積レベル火災受信処理における火災に起因しない非火災イベントの発生状態と認識される。
【００７８】
また図７の第２蓄積レベル火災受信処理は、非火災イベントが発生し易い設置環境の感知器回線につき行われており、そのような感知器回線の設置環境にあっては、火災以外の原因による煙濃度の変動や温度変動が起きており、これによって、火災によらない感知器のイベント出力が行われても火災レベルを超える煙濃度や温度が継続せずにランダムに生じている場合には、蓄積解除タイマによる最大蓄積時間Ｔｄ＝５０秒の間に３回の一旦復旧が行われずに途中で終わることとなり、火災以外の原因によるイベント出力に対し、誤って火災警報を出してしまうことを確実に防止できる。
【００７９】
図８は図２のステップＳ５における第２蓄積レベル火災受信処理の詳細を示したフローチャートであり、図７のタイムチャートを参照して説明すると次のようになる。
【００８０】
図８において、第２蓄積レベル火災受信処理は、ステップＳ１で感知器回線の発報によるイベント信号を受信すると、ステップＳ２で一旦復旧回数を閾値回数Ｎｔｈを、例えばＮｔｈ＝３回に設定後、ステップＳ３で図７（Ｂ）の蓄積タイマをスタートし、ステップＳ４でＴｘ２時間経過を判別すると、ステップＳ５でイベント出力回線の一旦復旧即ち１回目の一旦復旧を行う。続いて、ステップＳ６で一旦復旧回数を計数するカウンタＮをＮ＝Ｎ＋１にカウントアップする。
【００８１】
続いてステップＳ７で再度のイベント出力を判別すると、ステップＳ８でカウンタＮが閾値回数Ｎｔｈ＝３回に達したか否かチェックし、達していなければステップＳ５に戻り、２回目の一旦復旧を行う。
【００８２】
以下同様に、ステップＳ８でカウンタＮが閾値回数Ｎｔｈ＝３回に達するまで一旦復旧と再度のイベント出力の判別を繰り返し、Ｎ＝３回に達したら、ステップＳ９で火災警報処理を行う。
【００８３】
一方、ステップＳ５で一旦復旧を行った後にステップＳ７で再度のイベント出力が判別されなかった場合には、ステップＳ１０に進み、最大蓄積時間Ｔｄ＝５０秒の経過の有無を判別し、５０秒を経過した場合には、ステップＳ１１に進み、蓄積動作を終了する。これが第２蓄積レベル火災受信処理における非火災イベントの発生状態として学習処理部に与えられる。
【００８４】
図９は第２蓄積レベル火災受信処理で一旦復旧後、再度イベント出力するまでの時間が長過ぎる場合に、一旦復旧回数を２回に制限する他の実施形態による処理を示したタイムチャートである。
【００８５】
図１の火災受信機からの感知器回線に接続する火災感知器１４の中には、一旦復旧した後に再度イベント出力するまでの時間Ｔ１が長いものがあり、第２蓄積レベル火災受信処理において、一旦復旧を３回行うと、蓄積が許容される蓄積最大時間Ｔｄ＝５０秒に収まらない場合がある。
【００８６】
そこで、１回目の一旦復旧を行った後、予め定めた一定時間Ｔｕ、例えばＴｕ＝約１０秒程度の時間内に再度イベント出力しない火災感知器については、再度のイベント出力に時間がかかる火災感知器と判断し、この場合には一旦復旧の回数を２回に制限する。
【００８７】
これによって、再度のイベント出力に時間のかかる火災感知器が感知器回線に接続されていたとしても、蓄積が許容される蓄積最大時間Ｔｄ＝５０秒内に、第２蓄積レベル火災受信処理により火災を警報することが確実にできる。
【００８８】
このような第２蓄積レベル火災受信処理における一旦復旧を２回に制限する処理を図９のタイムチャートについて説明すると次のようになる。図９（Ａ）は感知器回線電圧、図９（Ｂ）は蓄積タイマ、図９（Ｃ）は新たに設けられた再発報監視タイマ、図９（Ｄ）は警報出力、図９（Ｅ）は蓄積時間、更に図９（Ｆ）は蓄積解除タイマである。
【００８９】
時刻ｔ１で感知器回線のイベント出力が行われ、時刻ｔ２で受信機が立ち上がり、蓄積タイマがＴｘ２＝約２．５秒動作し、時刻ｔ３で１回目の一旦復旧時間Ｔ３に亘る一旦復旧が行われる。
【００９０】
しかしながら、一旦復旧後、この火災感知器が時刻ｔ２で起動した再発報監視タイマによるＴｕ時間に達する時刻ｔ５を経ても再度のイベント出力を行わない。したがって、時刻ｔ５の再発報監視タイマがタイムアップしたタイミングで、この火災感知器は再度のイベント出力までの時間が長い感知器と判断し、受信機側で一旦復旧回数を、初期設定している３回から２回に変更する。
【００９１】
その後、時刻ｔ６で感知器が再度イベント出力し、ｔ３時間に亘り２回目の一旦復旧が行われ、同じくＴ１時間経過後の時刻ｔ９でさらにイベント出力が行われ、時刻ｔ２後に受信機が立ち上がって、図９（Ｄ）の警報出力を出すことになる。
【００９２】
このように、再度のイベント出力までの時間が長い火災感知器につき一旦復旧の回数を３回から２回に制限することで、そのまま３回一旦復旧を行ったのでは蓄積タイマによる蓄積最大時間Ｔｄ＝５０秒を超えて火災警報を出すことができないが、２回に制限したことで、図９（Ｅ）の蓄積時間Ｔｂは感知器が一旦復旧してから再度イベント出力するまでの時間Ｔ１が長くとも、３回から２回に制限したことで短くでき、蓄積最大時間Ｔｄ＝５０秒を超えない蓄積時間Ｔｂで確実に火災警報を出すことができる。
【００９３】
図１０は図９の一旦復旧回数を２回に制限する処理を加えた本実施形態による第２蓄積レベル火災受信処理を示したフローチャートである。図１０におけるステップＳ１〜Ｓ６は図８のステップＳ１〜Ｓ６と同じであり、また図１０のステップＳ９〜Ｓ１３は図８のステップＳ７〜Ｓ１１と同じであり、新たに図１０にはステップＳ７とＳ８の処理が加わっている。
【００９４】
即ち、ステップＳ５でイベント出力回線の一旦復旧を行い、ステップＳ６でカウンタＮをカウントアップした後、ステップＳ７で再度のイベント出力までの経過時間Ｔｕを監視しており、ステップＳ９，Ｓ１４，Ｓ７となる再度のイベント出力待ちの状態でＴｕ時間を経過すると、ステップＳ８で、一旦復旧回数の閾値回数ＮｔｈをＮｔｈ−１とし、もう１回一旦復旧によりイベント出力したら火災警報を出すことになる。
【００９５】
図１１は第２蓄積レベルの設定状態において、短時間に２回非火災イベントが続いた場合に、一次的に第１蓄積レベルに切り替えた後に元に戻す学習処理を示したタイムチャートである。
【００９６】
本実施形態における第２蓄積レベルの設定状態による第２蓄積レベル火災受信処理において、一旦復旧３回の設定状態で蓄積動作は行ったが火災には至らなかった非火災イベントが、連続して２回以上、予め定めた一定時間Ｔｅ、例えばＴｅ＝２００秒以内に判別された場合には、今後、火災になる可能性がある。
【００９７】
これに対処するため、本実施形態にあっては、現在の非火災イベントが発生し易い環境を対象とした第２蓄積レベルから、非火災イベントが発生しにくい環境に対応した第１蓄積レベルの状態に一時的に切り替え、火災の早期発見ができるようにする。もし一旦復旧回数を１回の第１蓄積レベルに切り替えた後、イベント信号が受信されなかった場合には、再び元の一旦復旧回数３回の第２蓄積レベルに切り替える。
【００９８】
この処理を図１１のタイムチャートについて説明すると次のようになる。図１１（Ａ）は第１蓄積レベルと第２蓄積レベルの状態を示し、図１１（Ｂ）は蓄積動作、図１１（Ｃ）は非火災イベント、更に図１１（Ｄ）は監視タイマである。
【００９９】
いま第２蓄積レベルの設定状態にある時刻ｔ１でイベント信号４４が受信され、一旦復旧回数３回の１回目の第２蓄積レベル火災受信処理４６が行われたが警報出力に至らずに非火災イベントと判定され、このため蓄積最大時間Ｔｄ＝５０秒後の時刻ｔ２で蓄積解除となる。
【０１００】
続いて２回目のイベント信号４８が時刻ｔ３で受信されたとすると、同様にして３回の一旦復旧による第２蓄積レベル火災受信処理５０が行われるが、この場合にも火災警報には至らずに非火災イベントと判定され、蓄積最大時間Ｔｄ＝５０秒経過後の時刻ｔ４で蓄積解除となる。
【０１０１】
一方、時刻ｔ１の最初のイベント信号４４の受信時に図１１（Ｄ）の監視タイマを起動し、予め定めた一定時間Ｔｅ＝２００秒の経過を監視している。この一定時間Ｔｅ以内に、この場合には２回、第２蓄積レベル火災受信処理４６，５０が行われているため、２回目で蓄積解除となった時刻ｔ４で現在の第２蓄積レベルを第１蓄積レベルに切り替える。
【０１０２】
第１蓄積レベルに切り替えた後は、監視タイマによる時刻Ｔｅ＝２００秒の経過を待ち、その間に第１蓄積レベルによる蓄積処理即ち第１蓄積レベル火災受信処理が行われなければ、時刻ｔ５で再び元の第２蓄積レベルの設定に戻す。
【０１０３】
一方、２回連続した第２蓄積レベル火災受信処理４６，５０は、その後、火災になる可能性が高いことから、時刻ｔ４で第１蓄積レベルに切り替えたときは、時刻ｔ５までに更にイベント出力があった場合には、第１蓄積レベル受信処理による１回の一旦復旧による蓄積動作で火災警報が出され、第１蓄積レベルに切り替えておくことで、イベント出力から短時間で火災警報を出すことができる。
【０１０４】
図１２は第２蓄積レベル火災受信処理による非火災イベントが２回連続した際に第１蓄積レベルに一時的に戻す図１１に示した学習処理の詳細を示したフローチャートである。図１２の学習処理におけるステップＳ１〜Ｓ６は図４の学習処理と同じであり、これにステップＳ７〜Ｓ９が新たに加えられる。
【０１０５】
即ち、ステップＳ１で非火災イベントありが判別された後にステップＳ２で第２蓄積レベルの設定が判別されると、ステップＳ７で一定時間Ｔｅ＝２００秒以内に非火災イベントが２回発生したか否かチェックしており、２回発生した場合には、ステップＳ８で第１蓄積レベルを設定する。
【０１０６】
続いてステップＳ９に進み、非火災イベントなしでＴｅ＝２００秒経過した場合には、ステップＳ３に戻り、元の第２蓄積レベルを設定するようにしている。
【０１０７】
なお、図１１（Ｄ）の監視タイマの設定時間Ｔｅとしては、第２蓄積レベルの２回非火災イベント出力に、（５０秒×２回）＝１００秒を必要とし、その後、第１蓄積レベルによる火災監視に最大蓄積時間５０秒を必要とすることから、最低１５０秒必要であるが、更に非火災イベントが２回連続する際の空き時間を加えて約２００秒としているが、２００秒前後の範囲で必要に応じて適宜の時間設定をすれば良い。
【０１０８】
図１３は本実施形態の第１蓄積レベルと第２蓄積レベルの受信機動作を比較して示したタイムチャートである。図１３（Ａ）が第１蓄積レベルの受信機動作、図１３（Ｂ）が第２蓄積レベルの受信機動作である。
【０１０９】
第１蓄積レベルの受信機動作は、イベント信号受信後、蓄積タイマで決まるＴｘ１時間に亘り、最初に受信したイベント信号即ち第１信号保持を行い、その後、一旦復旧を行った後、蓄積開始から蓄積最大時間Ｔｄ＝５０秒に達するまでの間、一旦復旧後のイベント信号の受信である第２信号受付時間Ｔｙを設定している。
【０１１０】
これに対し図１３（Ｂ）の第２蓄積レベルにあっては、最初のイベント信号受信で蓄積タイマの設定時間Ｔｘ２となる短い時間、最初のイベント信号受信による第１信号保持となり、続いて１回目の一旦復旧から最大蓄積時間Ｔd＝５０秒に達するまでの間が、１回目の一旦復旧に伴う２回目のイベント信号である第２信号、２回目の一旦復旧に対するイベント信号である第３信号、更に３回目の一旦復旧に対するイベント信号である第４信号の受付時間、即ち第２〜４信号受付時間Ｔｙ２となる。
【０１１１】
図１４は一時的に煙濃度が火災レベルを超えて変化した場合の本実施形態の第１蓄積レベルと第２蓄積レベルの受信機動作を比較して示したタイムチャートである。図１４（Ａ）は煙濃度であり、火災レベルを１０％／ｍとしている。図１４（Ｂ）は第１蓄積レベルの受信機動作、図１４（Ｃ）は第２蓄積レベルの受信機動作である。
【０１１２】
煙濃度が時刻ｔ１で火災レベルを超えると火災感知器がイベント出力し、例えば図１４（Ｂ）の第１蓄積レベルの受信機動作にあっては、時刻ｔ２で受信機が立ち上がり、Ｔｘ１時間に亘る第１信号保持時間を経て１回目の一旦復旧を行う。一旦復旧を行った後、感知器が一旦復旧して再度イベント出力するまでの時間に亘り、煙濃度は火災レベルを超えていることから、時刻ｔ３で火災警報を出してしまうことになる。
【０１１３】
一方、図１４（Ｃ）の第２蓄積レベルの受信機動作にあっては、時刻ｔ１の感知器のイベント出力に対し、時刻ｔ２で受信機が立ち上がって、第１信号保持時間Ｔｘ２を経て１回目の一旦復旧を行い、その後、煙濃度は火災レベルを超えていることから、感知器が再度イベント出力した後に受信機は２回目の一旦復旧を行う。
【０１１４】
２回目の一旦復旧後、時刻ｔ３を過ぎて煙濃度は火災レベルを下回っているため、再度のイベント出力は行われず、時刻ｔ４で火災レベルを超えると、これに応じて再度イベント出力が行われて３回目の一旦復旧となる。その後、煙濃度は火災レベルを超えることがなく、第２〜４信号受付時間Ｔｙ２を経過した状態で蓄積解除が行われ、この場合に警報出力が行われることはない。
【０１１５】
即ち本実施形態にあっては、図１４（Ａ）のように火災レベルを一時的に超えるような火災以外の原因による煙濃度の変化がある環境については、図１４（Ｃ）の第２蓄積レベルによる受信機動作が設定されているため、火災以外の原因による煙濃度の変化に対し、図１４（Ｂ）の第１蓄積レベルについては、誤って火災警報を出してしまうものが、これを防止し、誤報を確実に防ぐことが可能である。
【０１１６】
なお本発明は上記の実施形態に限定されず、その目的と利点を損なうことのない適宜の変形を含む。また本発明は上記の実施形態に示した数値による限定は受けない。
【図面の簡単な説明】
【０１１７】
【図１】本発明による蓄積受信機能を備えた火災受信機の実施形態を示したブロック図
【図２】本実施形態による火災受信処理の概略処理を示したフローチャート
【図３】非火災報に基づいて第１蓄積レベルと第２蓄積レベルを設定する本実施形態における学習処理を示したタイムチャート
【図４】図２のステップＳ１における学習処理の詳細を示したフローチャート
【図５】本実施形態における一旦復旧を１回行う第１蓄積レベル火災受信処理を示したタイムチャート
【図６】図２のステップＳ３における第１蓄積レベル火災受信処理の詳細を示したフローチャート
【図７】本実施形態における一旦復旧を３回行う第２蓄積レベル火災受信処理を示したタイムチャート
【図８】図２のステップＳ４における第２蓄積レベル火災受信処理の詳細を示したフローチャート
【図９】第２蓄積レベル火災受信処理で一旦復旧後の再度イベント出力されるまでの時間が長すぎる場合に一旦復旧回数を２回に制限する処理を示したタイムチャート
【図１０】図９による一旦復旧回数を２回に制限する処理を加えた本実施形態による第２蓄積レベル受信処理を示したフローチャート
【図１１】第２蓄積レベルの設定中に短時間に２回の非火災イベントが続いた場合に一時的に第１蓄積レベルを設定する学習処理を示したタイムチャート
【図１２】図１１の処理を加えた本実施形態における学習処理を示したフローチャート
【図１３】本実施形態の第１蓄積レベルと第２蓄積レベルの受信機動作を比較して示したタイムチャート
【図１４】一時的に煙濃度が火災レベルを超えて変化した場合の本実施形態の第１蓄積レベルと第２蓄積レベルの受信機動作を比較して示したタイムチャート
【符号の説明】
【０１１８】
１０：火災受信機
１２−１〜１２−ｎ：感知器回線
１４：火災感知器
１６：終端器
１８：ＭＰＵ
２０−１〜２０−ｎ：受信回路部
２２−１〜２２−ｎ：復旧回路部
２４：操作部
２６：警報表示部
２８：移報出力部
３０：メモリ
３２：学習処理部
３４：第１蓄積レベル受信処理部
３６：第２蓄積レベル受信処理部
【図１】
0005046232.tif 000002
【図２】
0005046232.tif 000003
【図３】
0005046232.tif 000004
【図４】
0005046232.tif 000005
【図５】
0005046232.tif 000006
【図６】
0005046232.tif 000007
【図７】
0005046232.tif 000008
【図８】
0005046232.tif 000009
【図９】
0005046232.tif 000010
【図１０】
0005046232.tif 000011
【図１１】
0005046232.tif 000012
【図１２】
0005046232.tif 000013
【図１３】
0005046232.tif 000014
【図１４】
0005046232.tif 000015